(57)【要約】      （修正有）【課題】エプロン本体と紐体との連結状態が外部から見えず、また、エプロン本体はほぼ矩形の布地のままであって洗濯上及びアイロン掛け上、障害となるおそれのある付属物が取り付けられておらず、紐体も細幅の紐であって違和感を思わせるような特殊な構造でない紐体を着脱することが可能なエプロンを提供する。【解決手段】エプロンは、紐体５０の着脱が可能なエプロンにおいて、エプロン本体１０が、エプロン本体裏側においてその上端部両側に当て布１２ｂを縫着したものであり、エプロン本体の両側端においてエプロン本体と当て布とを一部無縫着にすることにより紐体引出開口部３０を形成し、前記両側端以外の箇所にエプロン本体と当て布とを一部無縫着にすることにより、前記紐体引出開口部３０より大きい紐体差込開口部２０を形成したものである。【選択図】図３
0003142610.tif 000002
【実用新案登録請求の範囲】
【請求項１】
紐体の着脱が可能なエプロンにおいて、エプロン本体が、エプロン本体裏側において少なくともその上端部両側に当て布を縫着したものであり、エプロン本体の両側端においてエプロン本体と当て布とを一部無縫着にすることにより開口する紐体引出開口部が形成され、前記両側端以外の箇所にエプロン本体と当て布とを一部無縫着にすることにより開口し、前記紐体引出開口部より大きい紐体差込開口部が形成されている、
ことを特徴とするエプロン。
【請求項２】
当て布が、エプロン本体裏側の上端部の全長に亘って縫着されていることを特徴とする請求項１に記載のエプロン。
【請求項３】
当て布が、エプロン本体の上端部に形成したエプロン本体裏側への折返し部によって構成されていることを特徴とする請求項１又は２に記載のエプロン。
【請求項４】
紐体差込開口部が当て布の下端に形成されていることを特徴とする請求項１〜３のいずれか１項に記載のエプロン。
【請求項５】
紐体は、その一端を三角形状に形成して差込端部とし、他端を前記エプロン本体における紐体引出開口部を通過せず、紐体差込開口部を通過する大きさに嵩高く形成して止定端部とした、
ことを特徴とする請求項１〜４のいずれか１項に記載のエプロン。
【請求項６】
紐体の止定端部が紐体を折り重ねて縫合することにより構成されていることを特徴とする請求項１〜５のいずれか１項に記載のエプロン。
【考案の詳細な説明】
【技術分野】
【０００１】
本考案は、主として業務において使用され、大量に洗濯及びアイロン掛けを必要とするエプロンに関し、特に紐体を着脱することが可能なエプロンに関する。
【背景技術】
【０００２】
従来より、下記特許文献１〜９に示されるように、紐体を着脱することが可能なエプロンが提案されている。特許文献１に示されるものは、コの字型の引っ張り布をエプロン本体の上端部両側に形成し、この引っ張り布に紐体を結びつける構成である。特許文献２に示されるものは取着手段として面ファスナーを利用する構造のものである。特許文献３に示されるものはクリップによりエプロン本体と紐体とを連結する構造のものである。特許文献４に示されるものはボタンとボタンホールとによりエプロン本体と紐体とを連結する構造のものである。特許文献５に示されるものは、エプロン本体にベルト通しを設け、紐体となるベルトを挿通する構造のものである。特許文献６に示されるものは、エプロン本体の一辺に折返しによる筒縫い部を設け、この筒縫い部に弾力性のあるホルダー部材を貫通させる構造のものである。特許文献７に示されるものはエプロン本体と紐体とをスナップで取り外し可能にしたものである。特許文献８に示されるものは、エプロン本体の上部両端に環状部材を設け、紐体に前記環状部材に挿通係合が可能な係止具を設けて着脱自在としたものである。特許文献９に示されるものはエプロン本体と紐体とをスナップやボタンにより着脱自在としたものである。
【特許文献１】実公平５-２３５２４号公報
【特許文献２】実用新案登録第３０５９８２３号公報
【特許文献３】特開昭６３-２０３８１０号公報
【特許文献４】実開平２-１２５９１６号公報
【特許文献５】実用新案登録第３０６９６５０号公報
【特許文献６】実用新案登録第３０９７４８５号公報
【特許文献７】実用新案登録第３１２６３５５号公報
【特許文献８】実開昭４９-２３１３１号公報
【特許文献９】実開昭５２−２９５２５号公報
【考案の開示】
【考案が解決しようとする課題】
【０００３】
しかし、上記従来の紐体が着脱自在のエプロンは、エプロン本体と紐体とが、コの字型の引っ張り布に紐体を結びつける構造（特許文献１）、取着手段として面ファスナーを利用（特許文献２）、クリップにより連結する構造（特許文献３）、ボタンとボタンホールとにより連結する構造（特許文献４）、ベルト通しを設ける構造（特許文献５）、筒縫い部に弾力性のあるホルダー部材を貫通させる構造（特許文献６）、スナップで取り外し可能にしたもの（特許文献７）、環状部材に挿通係合が可能な係止具を設けたもの（特許文献８）、スナップやボタンにより着脱自在としたもの（特許文献９）である。
【０００４】
したがって、従来のエプロン本体及び紐体は、洗濯上及びアイロン掛け上、障害となるおそれのある付属物が取り付けられていたり、連結する部分が露出していて体裁が悪いものであったり、紐体が特殊な材質のものであった。
【０００５】
そこで、本考案者は、鋭意研究を重ね、エプロン本体と紐体との連結状態が外部から見えず、また、エプロン本体はほぼ矩形の布地のままであって洗濯上及びアイロン掛け上、障害となるおそれのある付属物が取り付けられておらず、紐体も細幅の紐であって違和感を思わせるような特殊な構造でない紐体を着脱することが可能なエプロンを考案した。
【課題を解決するための手段】
【０００６】
本考案に係るエプロンは、紐体の着脱が可能なエプロンにおいて、エプロン本体が、エプロン本体裏側において少なくともその上端部両側に当て布を縫着したものであり、エプロン本体の両側端においてエプロン本体と当て布とを一部無縫着にすることにより開口する紐体引出開口部が形成され、前記両側端以外の箇所にエプロン本体と当て布とを一部無縫着にすることにより開口し、前記紐体引出開口部より大きい紐体差込開口部が形成されていることを特徴とするものである。
【０００７】
また、前記の当て布が、エプロン本体裏側の上端部の全長に亘って縫着されている構造としてもよく、また、エプロン本体の上端部に形成したエプロン本体裏側への折返し部によって構成されるようにしてもよい。
【０００８】
さらに、紐体差込開口部が当て布の下端に形成されるようにしてもよい。
【０００９】
さらにまた、紐体は、その一端を三角形状に形成して差込端部とし、他端を前記エプロン本体における紐体引出開口部を通過せず、紐体差込開口部を通過する大きさに嵩高く形成して止定端部としてもよく、この止定端部を、紐体を折り重ねて縫合することにより構成してもよい。
【考案の効果】
【００１０】
本考案に係るエプロンは、上記のように構成したことにより、紐体におけるエプロン本体の止定側端部が当て布内に隠れて見えなくなり、紐体を取り外した状態においてはエプロン本体はほぼ矩形の状態のままであり、紐体についても細幅状の紐ということで特に違和感を感じさせるものではなく、したがって、外見上極めて体裁が良く、また着用感も全く違和感を感じさせず、かつ、洗濯及びアイロン掛けにおいて支障がなく、しかも、エプロン本体に対する紐体の脱着が極めて容易に行うことができるため、大量に処理することできて作業効率が極めて良好である利点がある。
【考案を実施するための最良の形態】
【００１１】
以下に本考案の好適な実施例を図１〜図６に基いて詳細に説明する。
【実施例】
【００１２】
図１はエプロン本体と２本一組の紐体との分解斜視図であり、図２はエプロン本体に２本の紐体を装着してエプロンを完成させた状態を示す一部省略斜視図であり、図３は紐体の差込端部をエプロン本体における紐体差込開口部に挿入する状態を示す要部斜視図であり、図４は紐体の差込端部をエプロン本体における紐体引出開口部より引き出した状態を示す要部斜視図であり、図５はエプロン本体における当て布の内部に紐体の止定端部が位置して紐体が引き出せない状態を示す要部斜視図であり、図６は紐体の差込端部及び止定端部の作成方法を示す要部斜視図である。
【００１３】
図１において、１０はエプロン本体を示し、５０は２本一組でそれぞれ同一構成の紐体を示す。この紐体５０の三角状に形成された一方の端部、すなわち差込端部５２をエプロン本体１０の紐体差込開口部２０から差し込んで紐体引出開口部３０から引き出し、紐体５０の嵩高く形成した他方の端部、すなわち止定端部５４により、紐体５０の引き出しが止定されるまで紐体５０を紐体引出開口部３０から引き出すと、図２に示すエプロンＡが完成する。また、図２に示すエプロンＡの状態から、紐体の止定端部５４を紐体差込開口部２０から引き出すことにより紐体５０の全体を引き出すと、エプロンＡはエプロン１０と２本一組の紐体５０とに分解されることになる。
【００１４】
エプロン本体１０は、図１に示すように、その上端部には折返し部１２が形成されている。この折返し部１２は、上端における所定幅の生地を裏側に折り返して重ね合わせ、エプロン本体１０の一方の上端側部から適当間隔Ｌをおいて、この重ね合わせ部をエプロン本体１０の上端から図において下方向へ縫着し（縫着線ａで示す）、折返し端１２ａの近傍にて右横方向に縫着し（縫着線ｃで示す）、エプロン本体１０の他端から間隔Ｌを残して上方向に縫着する（縫着線ｂで示す）。次に、エプロン上部両側端の重ね合わせ部において、その約下半部を縫着する(縫着線ｄで示す)。このように縫着することにより、図３〜図５に示すように、折返し部１２の下端における両側に無縫着による紐体差込開口部２０が形成され、折返し部１２の両側端において、その上半部に無縫着による紐体引出開口部３０が形成される。ここで重要なことは、紐体差込開口部２０の開口の大きさは、紐体５０の差込端部５２及び止定端部５４のいずれもが挿通できる大きさとし、紐体５０の引出端部３０の開口の大きさは、紐体５０の差込端部５２は挿通し、紐体５０の止定端部５４は挿通できない大きさとする。
【００１５】
なお、本考案における当て布とは、本実施例においては、前記上下方向の縫着線ａ、ｂより外側の折返し部分１２ｂ、１２ｂであり、エプロン本体１０の上端部全長に亘る折返し部１２を形成し、その両側の折返し部分１２ｂ、１２ｂが当て布となる。したがって、本実施例のようにエプロン本体１０の上端部全長に亘る折返し部１２を形成せず、両側の折返し部分１２ｂ、１２ｂだけを形成する場合も本考案における当て布に含まれ、また、両側の折返し部分１２ｂ、１２ｂに代えてエプロン本体１０の上端を折り返さずに別布を縫着し、上記のように紐体差込開口部及び紐体引出開口部を形成する場合も本考案における当て布に含まれる。さらに、本実施例においては、紐体差込開口部２０を下方から紐体を挿入できるように下方に開口する構成を示したが、これに限られるものではなく、本実施例における紐体差込開口部２０を縫着して閉塞し、前記上下方向の縫着線ａ、ｂの外側近傍における当て布に上下方向のスリットを形成して、横方向に開口する紐体差込開口部としてもよい。また、上記の変更例のように、両側の折返し部分１２ｂ、１２ｂだけを形成する場合、及び、別布を縫着する場合においても同様に横方向に開口する紐体差込開口部としてもよい。
【００１６】
そして、図３に示すように、紐体５０の差込端部５２を、矢印で示すように、エプロン本体１０の紐体差込開口部２０に挿入し、図４に示すように、エプロン本体の紐体引出開口部３０から紐体５０の差込端部５２を引き出し、図５に示すように、さらに紐体５０をエプロン本体１０の紐体引出開口部３０から引き出して、折返し部分１２ｂ内に紐体５０の止定端部５４が入り込み、止定端部５４はエプロン本体１０の紐体引出開口部３０から引き出せない大きさであるため、止定端部５４は折返し部分１２ｂ内でとどまって、エプロン本体１０に紐体５０が固定され、もう一方の紐体５０も、前記と同様に、エプロン本体１０の紐体差込開口部２０から紐体１０の差込端部５２を挿入し、止定端部５４がエプロン本体１０の折返し部分１２ｂの位置に達するまで紐体５０を引き出せば、図２に示すように、エプロンＡが完成することになる。
【００１７】
本実施例におけるエプロンＡをエプロン本体１０及び紐体５０よりなる構成としたことにより、エプロン本体１０は、ほぼ矩形の布地のままであるから洗濯上及びアイロン掛け上、障害となるおそれがなく、また、紐体５０も細幅の紐であるから違和感を思わせることがなく、しかも、紐体５０の止定端部５４が当て布である折返し部分１２ｂ、１２ｂに収納されて露出しないので、紐体５０の止定端部５４が外部から見えなくなり、図２に示すように、紐体１０が縫着されたエプロンと外観上変わることがないので、極めて体裁のよいものとなる。
【００１８】
また、図５の状態において、エプロン本体１０の紐体差込開口部２０から紐体５０の止定端部５４を引き出し、そして、紐体５０の全体をエプロン本体１０の紐体差込開口部２０から引っ張り出せば、エプロンＡはエプロン本体１０と紐体５０とに分離することになる。
【００１９】
図６は、紐体５０における差込端部５２及び止定端部５４の作成方法の一例を示す。差込端部５２は、図の一点鎖線で示すように、紐端部を斜めに折って重ね合わせて縫着して固定することにより作成される。止定端部５４は、紐端部を巻回して重ね合わせ、これを縫着して固定することにより作成される。
【００２０】
上記の実施例は、これに限定されるものではなく、実用新案登録請求の範囲に記載した広範囲な実施形態を包含するものである。
【図面の簡単な説明】
【００２１】
【図１】本考案における実施例において、エプロン本体と２本一組の紐体との分解斜視図である。
【図２】本考案における実施例において、エプロン本体に２本の紐体を装着してエプロンを完成させた状態を示す一部省略斜視図である。
【図３】本考案における実施例において、紐体の差込端部をエプロン本体における紐体差込開口部に挿入する状態を示す要部斜視図である。
【図４】本考案における実施例において、紐体の差込端部をエプロン本体における紐体引出開口部より引き出した状態を示す要部斜視図である。
【図５】本考案における実施例において、エプロン本体における当て布の内部に紐体の止定端部が位置して紐体が引き出せない状態を示す要部斜視図である。
【図６】本考案における実施例において、紐体の差込端部及び止定端部の作成方法を示す要部斜視図である。
【符号の説明】
【００２２】
Ａ・・・エプロン
ａ・・・縫着線
ｂ・・・縫着線
ｃ・・・縫着線
ｄ・・・縫着線
１０・・エプロン本体
１２・・折返し部
１２ａ・折返し端
１２ｂ・折返し部分(当て布)
２０・・紐体差込開口部
３０・・紐体引出開口部
５０・・紐体
５２・・紐体の差込端部
５４・・紐体の差込端部
【図１】
0003142610.tif 000003
【図２】
0003142610.tif 000004
【図３】
0003142610.tif 000005
【図４】
0003142610.tif 000006
【図５】
0003142610.tif 000007
【図６】
0003142610.tif 000008